(57)【要約】【課題】互いの距離をできるだけ大きくしたい電線間を離しつつ、ワイヤーハーネスを分岐することが可能な技術を提供する。【解決手段】複数の電線から成るワイヤーハーネスを分岐するためのワイヤーハーネス分岐部材は、底部１０と、当該底部１０に立設された外壁部１１とを備えている。外壁部１１には、ワイヤーハーネスの電線が通り、かつそれぞれが当該外壁部１１の上端から底部１０に向かう４つ以上の切り欠き部１２が設けられている。【選択図】図３
2013165535.tif 000002
【特許請求の範囲】
【請求項１】
複数の電線から成るワイヤーハーネスを分岐するためのワイヤーハーネス分岐部材であって、
底部と、
前記底部に立設された外壁部と
を備え、
前記外壁部には、ワイヤーハーネスの電線が通り、かつそれぞれが当該外壁部の上端から前記底部に向かう４つ以上の切り欠き部が設けられている、ワイヤーハーネス分岐部材。
【請求項２】
請求項１に記載のワイヤーハーネス分岐部材であって、
前記ワイヤーハーネス分岐部材が取り付けられる取付対象物の取付穴に係止する、前記底部に立設された係止構造をさらに備える、ワイヤーハーネス分岐部材。
【請求項３】
請求項１及び請求項２のいずれか一つに記載のワイヤーハーネス分岐部材であって、
前記底部及び前記係止構造を貫通する貫通穴が設けられており、
他のワイヤーハーネス分岐部材の係止構造が前記底部の裏面から前記貫通穴に挿入されると、当該係止構造は当該貫通穴に係止する、ワイヤーハーネス分岐部材。
【請求項４】
請求項１乃至請求項３のいずれか一つに記載のワイヤーハーネス分岐部材と、
前記ワイヤーハーネス分岐部材が取り付けられ、当該ワイヤーハーネス分岐部材によって分岐されたワイヤーハーネスと
を備える、分岐部材付きワイヤーハーネス。
【請求項５】
請求項３に記載のワイヤーハーネス分岐部材と同じ構造の複数のワイヤーハーネス分岐部材が取り付けられ、当該複数のワイヤーハーネス分岐部材によって分岐された、複数の電線から成るワイヤーハーネスの製造方法であって、
（ａ）前記複数のワイヤーハーネス分岐部材の一つである第１ワイヤーハーネス分岐部材の前記４つ以上の切り欠き部に、前記複数の電線の一部である複数の第１電線を通して、第１仮結束ハーネスを作製する工程と、
（ｂ）前記複数のワイヤーハーネス分岐部材の一つである第２ワイヤーハーネス分岐部材の前記４つ以上の切り欠き部に、前記複数の電線の一部である複数の第２電線を通して、第２仮結束ハーネスを作製する工程と、
（ｃ）前記第１仮結束ハーネスの前記第１ワイヤーハーネス分岐部材の前記係止構造を、前記第２仮結束ハーネスの前記第２ワイヤーハーネス分岐部材の前記貫通穴に挿入して、当該係止構造を当該貫通穴に係止させる工程と
を備える、ワイヤーハーネスの製造方法。
【発明の詳細な説明】
【技術分野】
【０００１】
本発明は、ワイヤーハーネスを分岐する技術に関する。
【背景技術】
【０００２】
ワイヤーハーネスに関して、従来から様々な技術が提案されている。特許文献１〜３には、ワイヤーハーネスの分岐に関する技術が開示されている。また特許文献４には、ワイヤーハーネスを構成する複数の電線のうちの特定の２本の電線の間の距離を所定の大きさ以上に保持する電線保持構造が開示されている。また特許文献５には、ワイヤーハーネスを保護するためのプロテクタが開示されている。
【先行技術文献】
【特許文献】
【０００３】
【特許文献１】特開平９−１８２２４２号公報
【特許文献２】特開平１１−１５５２１９号公報
【特許文献３】特開２００５−２９５７３０号公報
【特許文献４】実開平５−４８５２０号公報
【特許文献５】特開２００７−５７０３号公報
【発明の概要】
【発明が解決しようとする課題】
【０００４】
ワイヤーハーネスを構成する複数の電線においては、互いの距離をできるだけ大きくしたい複数の電線が存在することがある。例えば、音声信号を伝達する信号電線の近くに、電源電圧を伝達する電源電線が存在すると、当該電源電線から発生するノイズを当該信号電線が受けて、当該信号電線で伝達される音声信号の波形が乱れることがあることから、当該信号電線と当該電源電線との間の距離はできるだけ大きいことが望ましい。
【０００５】
一方で、ワイヤーハーネスの分岐部においては、電線間を離す工夫は特になされていない。特許文献４の電線保持構造を使用することによって、２本の電線を離すことは可能であるものの、これをワイヤーハーネスの分岐部で使用することは困難である。
【０００６】
そこで、本発明は上述の点に鑑みて成されたものであり、互いの距離をできるだけ大きくしたい電線間を離しつつ、ワイヤーハーネスを分岐することが可能な技術を提供することを目的とする。
【課題を解決するための手段】
【０００７】
第１の態様に係るワイヤーハーネス分岐部材は、複数の電線から成るワイヤーハーネスを分岐するためのワイヤーハーネス分岐部材であって、底部と、前記底部に立設された外壁部とを備え、前記外壁部には、ワイヤーハーネスの電線が通り、かつそれぞれが当該外壁部の上端から前記底部に向かう４つ以上の切り欠き部が設けられている。
【０００８】
第２の態様に係るワイヤーハーネス分岐部材は、第１の態様に係るワイヤーハーネス分岐部材であって、前記ワイヤーハーネス分岐部材が取り付けられる取付対象物の取付穴に係止する、前記底部に立設された係止構造をさらに備える。
【０００９】
第３の態様に係るワイヤーハーネス分岐部材は、第１及び第２の態様のいずれか一つに係るワイヤーハーネス分岐部材であって、前記底部及び前記係止構造を貫通する貫通穴が設けられており、他のワイヤーハーネス分岐部材の係止構造が前記底部の裏面から前記貫通穴に挿入されると、当該係止構造は当該貫通穴に係止する。
【００１０】
第４の態様に係る分岐部材付きワイヤーハーネスは、第１乃至第３の態様のいずれか一つに係るワイヤーハーネス分岐部材と、前記ワイヤーハーネス分岐部材が取り付けられ、当該ワイヤーハーネス分岐部材によって分岐されたワイヤーハーネスとを備える。
【００１１】
第５の態様に係るワイヤーハーネスの製造方法は、第３の態様に係るワイヤーハーネス分岐部材と同じ構造の複数のワイヤーハーネス分岐部材が取り付けられ、当該複数のワイヤーハーネス分岐部材によって分岐された、複数の電線から成るワイヤーハーネスの製造方法であって、（ａ）前記複数のワイヤーハーネス分岐部材の一つである第１ワイヤーハーネス分岐部材の前記４つ以上の切り欠き部に、前記複数の電線の一部である複数の第１電線を通して、第１仮結束ハーネスを作製する工程と、（ｂ）前記複数のワイヤーハーネス分岐部材の一つである第２ワイヤーハーネス分岐部材の前記４つ以上の切り欠き部に、前記複数の電線の一部である複数の第２電線を通して、第２仮結束ハーネスを作製する工程と（ｃ）前記第１仮結束ハーネスの前記第１ワイヤーハーネス分岐部材の前記係止構造を、前記第２仮結束ハーネスの前記第２ワイヤーハーネス分岐部材の前記貫通穴に挿入して、当該係止構造を当該貫通穴に係止させる工程とを備える。
【発明の効果】
【００１２】
第１乃至第５の態様によれば、外壁部に設けられた４つ以上の切り欠き部を使用して、互いの距離をできるだけあけたい電線間を離しつつ、ワイヤーハーネスを分岐することができる。
【００１３】
特に第２の態様によれば、ワイヤーハーネス分岐部材が取り付けられる取付対象物の取付穴に係止する係止構造が設けられていることから、ワイヤーハーネス分岐部材を取付対象物に簡単に取り付けることができる。
【００１４】
特に第３の態様によれば、複数のワイヤーハーネス分岐部材を連結することができることから、複数のワイヤーハーネス分岐部材を用いて複数の仮結線ハーネスを作製し、当該複数の仮結線ハーネスを、それらのワイヤーハーネス分岐部材を連結させることによって組み合わせることができる。よって、ワイヤーハーネスの製造が容易となる。
【００１５】
特に第５の態様によれば、複数のワイヤーハーネス分岐部材を用いて作製された複数の仮結線ハーネスを、それらのワイヤーハーネス分岐部材を連結させることによって組み合わせていることから、ワイヤーハーネスを簡単に製造することができる。
【図面の簡単な説明】
【００１６】
【図１】分岐部材付きワイヤーハーネスを示す斜視図である。
【図２】ワイヤーハーネス分岐部材と蓋部材とを引き離して示す斜視図である。
【図３】ワイヤーハーネス分岐部材を示す斜視図である。
【図４】ワイヤーハーネス分岐部材を示す上面図である。
【図５】ワイヤーハーネス分岐部材を示す側面図である。
【図６】ワイヤーハーネス分岐部材を示す底面図である。
【図７】ワイヤーハーネス分岐部材の切り欠き部に電線を通線する様子を示す図である。
【図８】ワイヤーハーネス分岐部材を取付対象物の取り付ける様子を示す図である。
【図９】ワイヤーハーネス分岐部材の係止構造が取付対象物の取付穴に係止している様子を示す図である。
【図１０】複数のワイヤーハーネス分岐部材が連結されている様子を示す図である。
【図１１】連結されている複数のワイヤーハーネス分岐部材の断面構造を示す図である。
【図１２】複数の分岐部材によって分岐されたワイヤーハーネスを示す斜視図である。
【図１３】第１仮結束ハーネスを示す上面図である。
【図１４】第２仮結束ハーネスを示す上面図である。
【発明を実施するための形態】
【００１７】
図１は、分岐部材付きワイヤーハーネス１００、つまりワイヤーハーネス分岐部材１（以後、単に「分岐部材１」と呼ぶ）が取り付けられたワイヤーハーネス１００の外観を示す斜視図である。ワイヤーハーネス１００は、複数の電線２００ａ〜２００ｄから成り、例えば自動車等の車両内に配策される。ワイヤーハーネス１００では、分岐部材１によって、例えば、幹線１１０が３つの支線１１１ａ〜１１１ｃに分岐されている。支線１１１ａは電線２００ａで構成され、支線１１１ｂは電線２００ｂ，２００ｃで構成され、支線１１１ｃは電線２００ｄで構成されている。以後、電線２００ａ〜２００ｄの間を特に区別する必要がないときには、それぞれを「電線２００」と呼ぶ。
【００１８】
電線２００ａ〜２００ｄのそれぞれの両端には端子が取り付けられている。電線２００ａ〜２００ｄの一方端に取り付けられた端子はコネクタ６０ａに挿入され、これにより、電線２００ａ〜２００ｄの一方の端部にはコネクタ６０ａが取り付けられている。また、電線２００ａの他方端に取り付けられた端子はコネクタ６０ｂに挿入され、これにより、電線２００ａの他方の端部（支線１１１ａの端部）にはコネクタ６０ｂが取り付けられている。また、電線２００ｂ，２００ｃの他方端に取り付けられた端子はコネクタ６０ｃに挿入され、これにより、電線２００ｂ，２００ｃの他方の端部（支線１１１ｂの端部）にはコネクタ６０ｃが取り付けられている。そして、電線２００ｄの他方端に取り付けられた端子はコネクタ６０ｄに挿入され、これにより、電線２００ｄの他方の端部（支線１１１ｃの端部）にはコネクタ６０ｄが取り付けられている。
【００１９】
分岐部材１は、ワイヤーハーネス１００を分岐するための部材であって、例えば樹脂で形成されている。本実施の形態では、分岐部材１は、ワイヤーハーネス１００の幹線１１０を３つの支線１１１ａ〜１１１ｃに分岐している。また、分岐部材１には、その上面の開口を覆う蓋部材５０が取り付けられている。蓋部材５０は、例えば樹脂で形成されている。
【００２０】
本実施の形態では、電線２００ａと電線２００ｄとが、それらの間の距離をできるだけ大きくしたい電線となっている。電線２００ａは、比較的ノイズを周囲に発生しやすい電線であって、例えば、電源を伝達する電源電線となっている。また、電線２００ｄは、比較的周囲からのノイズの影響を受けやすい信号を伝達する電線であって、例えば音声信号を伝達する信号電線である。分岐部材１は、電線２００ａと電線２００ｄとを離しつつ、ワイヤーハーネス１００を分岐している。
【００２１】
一方で、電線２００ｂ，２００ｃのそれぞれは、比較的ノイズを周囲に発生しにくく、かつ比較的周囲からのノイズの影響を受けにくい信号を伝達する電線である。したがって、電線２００ｂ，２００ｃのそれぞれは、他の電線２００と離す必要が無い電線となっている。
【００２２】
図２は分岐部材１と蓋部材５０とを引き離して示す斜視図である。図２に示されるように、分岐部材１は、底部１０と、当該底部１０の上面の周縁に立設された外壁部１１と、当該底部１０の上面の中央部に立設された係止構造１３とを備えている。底部１０と外壁部１１と係止構造１３とは一体的に成形されている。外壁部１１には、その上端面から底部１０に向かう複数の切り欠き部１２が設けられている。各切り欠き部１２には、ワイヤーハーネス１００の電線２００が通線される。係止構造１３は、分岐部材１が取り付けられる取付対象物の取付穴に係止するようになっている。切り欠き部１２は、底部１０と外壁部１１と係止構造１３とを金型を用いて作製する際にそれらと同時に形成されても良いし、底部１０と外壁部１１と係止構造１３とを作製した後に、当該外壁部１１を加工して形成しても良い。以後、単に「取付対象物」と言えば、分岐部材１が取り付けられる取付対象物を意味する。
【００２３】
蓋部材５０は、分岐部材１の上面の開口１５を覆う本体部５１と、当該本体部５１の周縁から下方に延びる複数の係止部５２とを備えている。本体部５１と複数の係止部５１とは一体的に成形されている。本体部５１には貫通穴５１ａが設けられている。複数の係止部５２のそれぞれは、その先端に係止片５２ａを有している。
【００２４】
分岐部材１に蓋部材５０が取り付けられる際には、分岐部材１の係止構造１３が、蓋部材５０の本体部５１の貫通穴５１ａに対して係止部５２側から挿入される。そして、分岐部材１の外壁部１１の上端面が蓋部材５０の本体部５１の下面（裏面）に当たるまで、分岐部材１の係止構造１３が蓋部材５０の貫通穴５１ａに挿入されると、蓋部材５０の複数の係止部５２の先端の係止片５２ａが、分岐部材１の底部１０の下面（裏面）に係止するようになる。これにより、分岐部材１に蓋部材５０が取り付けられる。
【００２５】
次に分岐部材１の構造についてさらに詳細に説明する。図３〜６は、それぞれ、分岐部材１を示す斜視図、上面図、側面図及び底面図である。
【００２６】
図３〜６に示されるように、底部１０は、例えば円形の板状部分であって、その中央部に貫通穴１０ａが設けられている。外壁部１１は、底部１０の貫通穴１０ａを円形に取り囲むようにして底部１０の上面の周縁から立ち上がっている。底部１０及び外壁部１１は、全体として、上面が開口した円柱形状を成している。したがって、図４に示されるように、分岐部材１の上面視での外形は円形となっている。
【００２７】
本実施の形態では、例えば４つの切り欠き部１２が外壁部１１に設けられている。各切り欠き部１２は、外壁部１１の上端面から底部１０の上面まで達する溝状切り欠き部となっている。なお、切り欠き部１２の形状は溝状以外であっても良い。
【００２８】
図４に示されるように、分岐部材１では、上面視において、４つの切り欠き部１２が９０度間隔で円形に配置されている。したがって、４つの切り欠き部１２においては、２つの切り欠き部１２が係止構造１３を間に挟んで対向配置されており、残りの２つの切り欠き部１２が係止構造１３を間に挟んで対向配置されている。以後、説明の便宜上、円形に配置された４つの切り欠き部１２を、図３，４に示されるように、上面視での時計回りの順で「切り欠き部１２ａ〜１２ｄ」とそれぞれ呼ぶことがある。
【００２９】
係止構造１３は、基部１３０と、当該基部１３０によって支持される一対の係止部１３１とを備えている。基部１３０は、中空の円柱形状を成しており、底部１０の貫通穴１０ａを取り囲むように底部１０の上面の中央部に立設されている。基部１３０を貫通する円柱状の中空部１３０ａは、底部１０の貫通穴１０ａに繋がっている。底部１０の貫通穴１０ａ及びそれに繋がる基部１３０の中空部１３０ａは、底部１０及び係止構造１３を貫通する円柱状の貫通穴１４を構成している。貫通穴１４は、底部１０の下面から基部１３０の上面まで延在している。
【００３０】
一対の係止部１３１は、基部１３０の上端面から、当該上端面に対して垂直な方向に延びており、互いに対向配置されている。つまり、一対の係止部１３１は、図４に示されるように、分岐部材１の上面視において、基部１３０における円形の上端面上に１８０度間隔で配置されている。そして、一対の係止部１３１は、取付対象物の取付穴に挿入され、当該取付穴から抜けないように当該取付穴に係止する。
【００３１】
一対の係止部１３１のそれぞれの先端部には、外側に張り出すようにして係止頭部１３２が設けられている。一対の係止部１３１の係止頭部１３２のそれぞれは、当該一対の係止部１３１が取付対象物の取付穴に挿入される際に当該取付穴の周縁に当たる傾斜面１３２ａと、当該一対の係止部１３１が取付対象物の取付穴に挿入された際に、当該取付対象物における当該取付穴の周辺部分に係止する係止面１３２ｂとを有している。傾斜面１３２ａは曲面となっており、係止面１３２ｂは平面となっている。一対の係止部１３１は、それらの係止頭部１３２が互いに近づくように弾性変形可能となっている。また、図４に示されるように、分岐部材１の上面視では、係止構造１３の一対の係止部１３１と、当該係止構造１３を間に挟んで対向配置された２つの切り欠き部１２ａ，１２ｃとは、一直線に並ぶようになっている。
【００３２】
基部１３０の中空部１３０ａは、当該基部１３０によって支持されている一対の係止部１３１の間の対向空間１３１ａに繋がっている。一対の係止部１３１のそれぞれでは、当該係止部１３１における、それと対を成す他方の係止部１３１との対向曲面１３１ｂが、基部１３０の内側曲面１３０ｂと繋がっている。そして、一対の係止部１３１のそれぞれの対向曲面１３１ｂの曲率半径と、基部１３０の内側曲面１３０ｂの曲率半径とは一致しており、図４に示されるように、上面視において、当該対向曲面１３１ｂが成す円弧は、当該内側曲面１３０ｂが成す円に重なっている。
【００３３】
また、一対の係止部１３１のそれぞれでは、当該係止部１３１における、係止頭部１３２が形成されていない部分の外側曲面１３１ｃは、基部１３０の外側曲面１３０ｃと繋がっている。一対の係止部１３１のそれぞれの外側曲面１３１ｃの曲率半径は、基部１３０の外側曲面１３０ｃの曲率半径と一致しており、図４に示されるように、上面視において、当該外側曲面１３１ｃが成す円弧は、当該外側曲面１３０ｃが成す円と重なっている。
【００３４】
以上のような構造を成す分岐部材１においては、図７に示されるように、各切り欠き部１２にワイヤーハーネス１００の電線２００が通される。具体的には、分岐部材１の上面視において外壁部１１の周方向で互いに隣り合う２つの切り欠き部１２ａ，１２ｂのうち、一方の切り欠き部１２ａに２つの電線２００ａ，２００ｂが通され、他方の切り欠き部１２ｂに２つの電線２００ｃ，２００ｄが通されることによって、当該２つの切り欠き部１２ａ，１２ｂから４つの電線２００ａ〜２００ｄが分岐部材１内に導入されている。そして、残りの２つの切り欠き部１２ｃ，１２ｄのうち、一方の切り欠き部１２ｄに２つの電線２００ａ，２００ｂが通され、他方の切り欠き部１２ｃに２つの電線２００ｃ，２００ｄが通されることによって、当該２つの切り欠き部１２ｃ，１２ｄから４つの電線２００ａ〜２００ｄが分岐部材１の外側に導出されている。
【００３５】
電線２００ｂ，２００ｃは、切り欠き部１２ｄ，１２ｃからそれぞれ分岐部材１の外側に取り出されて、支線１１１ｂとなっている。また、電線２００ａは、切り欠き部１２ｄから分岐部材１の外側に取り出される際に、当該切り欠き部１２ｄの側壁で約９０度に曲げられて、支線１１１ａとなっている。そして、電線２００ｄは、切り欠き部１２ｃから分岐部材１の外側に取り出される際に、当該切り欠き部１２ｃの側壁で約９０度に曲げられて、支線１１１ｃとなっている。なお、電線２００が切り欠き部１２の側壁で曲げられた場合には、当該電線２００と当該側壁との摩擦によって、当該電線２００は浮きにくくなり、分岐部材１に蓋部材５０を取り付けなくても、当該電線２００は分岐部材１から飛び出しにくくなる。
【００３６】
本実施の形態では、互いの距離をできるだけ大きくしたい電線２００ａ，２００ｄを同じ切り欠き部１２に通さず、かつ当該電線２００ａ，２００ｂが分岐部材１内において交差しないようにすることによって、分岐部材１においては、当該電線２００ａ，２００ｄの間の距離が大きくなるようにしている。図７に示されるように、電線２００ａは切り欠き部１２ａ，１２ｄを通っており、電線２００ｄは切り欠き部１２ｂ，１２ｃを通っており、分岐部材１において、電線２００ａ，２００ｄは交差していない。これにより、分岐部材１内においては、電線２００ａ，２００ｄは係止構造１３を間に挟んで互いに離れて配置されるようになる。
【００３７】
以上のようにして、ワイヤーハーネス１００を構成する複数の電線２００ａ〜２００ｄが通線された分岐部材１は、蓋部材５０が取り付けられた後に、取付対象物に取り付けられる。図８は、蓋部材５０が取り付けられた分岐部材１が、取付対象物であるステー３００に取り付けられる様子を示す図である。ステー３００は車両に取り付けられる部材である。なお、分岐部材１が取り付けられる取付対象物は他の部材であっても良い。
【００３８】
分岐部材１がステー３００に取り付けられる際には、当該ステー３００に設けられた取付穴３１０に対して、ステー３００の一方の主面３００ｂ側から、分岐部材１の係止構造１３の一対の係止部１３１が挿入される。取付穴３１０は、ステー３００をその厚み方向において貫通している。
【００３９】
一対の係止部１３１は、それらの係止頭部１３２の傾斜面１３２ａがステー３００の取付穴３１０の周縁に当たりながら、当該取付穴３１０に進入していく。これにより、一対の係止部１３１は、それらの係止頭部１３２が互いに近づくように弾性変形しながら取付穴３１０に進入する。一対の係止部１３１が、それらの係止頭部１３２がステー３００の他方の主面３００ａ側まで出るまで当該ステー３００の取付穴３１０に挿入されると、当該一対の係止部１３１の弾性変形が解除されて、図９に示されるように、それらの係止頭部１３２の係止面１３２ｂが、当該ステー３００の他方の主面３００ａにおける当該取付穴３１０の周辺部分に係止するようになる。これにより、係止構造１３がステー３００の取付穴３１０に係止され、分岐部材１がステー３００に取り付けられる。図９では、ステー３００についてはその取付穴３１０での断面構造が示されている。
【００４０】
なお、互いの距離をできるだけあけたい電線２００ａ，２００ｄについては、上記の特許文献４に記載されている電線保持構造をコネクタ６０ａと分岐部材１との間で使用して、当該電線２００ａ，２００ｄの間の距離を所定の大きさ以上に保持しても良い。
【００４１】
また、切り欠き部１２に通した電線２００が分岐部材１から飛び出しにくくするために、各切り欠き部１２の大きさは、当該切り欠き部１２に通線される電線２００の太さ及び本数に応じて決定することが望ましい。例えば、ある切り欠き部１２に対して、直径０．３ｍｍ〜０．５ｍｍの電線２００が１０本通線される場合には、当該切り欠き部１２の高さ（深さ）及び幅をそれぞれ１０ｍｍ及び５ｍｍに設定することが望ましい。これにより、当該切り欠き部１２と当該電線２００との間に隙間が生じることを抑制することができ、当該電線２００が分岐部材１から飛び出しにくくなる。
【００４２】
また、上記の例では、分岐部材１に通線された電線２００が外側に飛び出さないように、分岐部材１の上面の開口１５を覆う蓋部材５０を分岐部材１に取り付けていたが、分岐部材１の上面の開口１５を覆うように分岐部材１に対してテープ等を貼っても良い。
【００４３】
また、上記の例では、ワイヤーハーネス１００を３つに分岐しているが、２つに分岐しても良いし、４つ以上に分岐しても良い。
【００４４】
以上のように、本実施の形態に係る分岐部材１では、外壁部１１に４つの切り欠き部１２が設けられていることから、上記のように、当該４つの切り欠き部１２を使用して、互いの距離をできるだけあけたい電線２００間を離しつつ、ワイヤーハーネス１００を分岐することができる。外壁部１１に対して４つの切り欠き部１２が設けられていれば、２つの電線２００を分岐部材１内に導入するための切り欠き部１２を電線２００ごとに設けることができ、当該２つの電線２００を分岐部材１からその外側に導出するための切り欠き部１２を電線２００ごとに設けることができることから、２つの電線２００間を離すためには、外壁部１１に対して最低４つの切り欠き部１２が設けられていればよい。３つ以上の電線２００間を離すためには、外壁部１１に対して６つ以上の切り欠き部１２を設ければよい。
【００４５】
また、本実施の形態では、外壁部１１に設ける切り欠き部１２の数や位置を変更することによって、ワイヤーハーネス１００の分岐本数や分岐方向を簡単に変更することができる。
【００４６】
また、本実施の形態では、分岐部材１が取り付けられる取付対象物の取付穴に係止する係止構造１３が設けられていることから、分岐部材１を取付対象物に簡単に取り付けることができる。
【００４７】
また、他の電線２００からのノイズの影響を受けにくくするためや、自身からノイズを発生しにくくするために電線２００をシールド線にした場合には、ドレイン線を接地するための当該ドレイン線に対する加工処理が必要となる。この加工処理の自動化は困難であり、通常は当該加工処理は手作業で行われることになる。本実施の形態では、分岐部材１によって、互いの距離をできるだけあけたい電線２００間を離すことができることから、当該電線２００をシールド線にする必要がなくなる。電線２００をシールド線にしない場合には、ドレイン線の加工処理が不要となることから、分岐部材付きワイヤーハーネス１００の製造の自動化が容易となる。なお、分岐部材付きワイヤーハーネス１００の製造の自動化が難しくなるものの、分岐部材１によって電線２００間の距離をあけるだけでは不十分の場合には、当該電線２００をシールド線としても良い。
【００４８】
また、本実施の形態では、複数の分岐部材１は互いに連結することが可能となっている。図１０は２つの分岐部材１が連結されている様子を示す図である。図１１は、互いに連結された２つの分岐部材１を図１０に示される平面４００で切断した際の当該２つの分岐部材１の断面構図を示す図である。図１１では、下側の分岐部材１の断面構造が右上がりの斜線で示されており、上側の分岐部材１の断面構造が右下がりの斜線で示されている。
【００４９】
２つの分岐部材１を互いに連結する際には、一方の分岐部材１の係止構造１３を、他方の分岐部材１に設けられた、底部１０及び係止構造１３を貫通する貫通穴１４に対して当該底部１０の裏面側から挿入する。このとき、一方の分岐部材１を、他方の分岐部材１に対して９０度回転させた状態で、当該一方の分岐部材１の係止構造１３を、当該他方の分岐部材１の貫通穴１４に挿入する。つまり、上面視において、一方の分岐部材１の一対の係止部１３１が並ぶ方向が、他方の分岐部材１の一対の係止部１３１が並ぶ方向に対して垂直となるようにして、当該一方の分岐部材１の係止構造１３を、当該他方の分岐部材１の貫通穴１４に挿入する。そして、一方の分岐部材１の外壁部１１の上端面が、他方の分岐部材１の底部１０の裏面に当たるまで、当該一方の分岐部材１の係止構造１３が、当該他方の分岐部材１の貫通穴１４に挿入されると、当該係止構造１３が当該貫通穴１４に係止するようになる。具体的には、一方の分岐部材１の係止構造１３が有する一対の係止部１３１の係止頭部１３２が、他方の分岐部材１の係止構造１３の基部１３０の上端面から露出して、当該係止頭部１３２が当該基部１３０の上端面に係止するようになる。これにより、一方の分岐部材１が他方の分岐部材１に取り付けられて、両者が連結される。ある分岐部材１の係止構造１３が他の分岐部材１の貫通穴１４に係止することによって、当該ある分岐部材１が当該他の分岐部材１に取り付けられる際には、当該他の分岐部材１は、当該ある分岐部材１にとっての取付対象物となり、当該他の分岐部材１の貫通穴１４は当該取付対象物の取付穴となる。
【００５０】
なお、分岐部材１では、４つの切り欠き部１２が９０度毎に設けられていることから、分岐部材１を９０度回転させたとしても、回転前の分岐部材１と回転後の分岐部材１とでは、４つの切り欠き部１２の位置は一致するようになる。
【００５１】
このように、本実施の形態では、複数の分岐部材１を連結することができることから、複数の分岐部材１を用いて複数の仮結線ハーネスを作製し、当該複数の仮結線ハーネスを、それらの分岐部材１を連結させることによって組み合わせることができる。よって、ワイヤーハーネス１００の製造が容易となる。以下にこのワイヤーハーネス１００の製造方法について説明する。以下では、一例として、図１２に示されるようなワイヤーハーネス１００を製造する方法について説明する。以後、図１２に示されるワイヤーハーネス１００を、図１に示されるワイヤーハーネス１００と区別するために、「第２ワイヤーハーネス１００」と呼ぶ。
【００５２】
第２ワイヤーハーネス１００は、７つの電線２００ａ〜２００ｇを備えている。第２ワイヤーハーネス１００では、連結された２つの分岐部材１によって、幹線１１０が３つの支線１１１ａ〜１１１ｃに分岐されている。支線１１１ａは電線２００ａ，２００ｄで構成され、支線１１１ｂは電線２００ｂ，２００ｃ，２００ｅ，２００ｆで構成され、支線１１１ｃは電線２００ｇで構成されている。
【００５３】
また、第２ワイヤーハーネス１００では、電線２００ａ〜２００ｄの一方の端部にはコネクタ６０ａが取り付けられ、電線２００ａ，２００ｄの他方の端部（支線１１１ａの端部）にはコネクタ６０ｂが取り付けられ、電線２００ｂ，２００ｃ，２００ｅ，２００ｆの他方の端部（支線１１１ｂの端部）にはコネクタ６０ｃが取り付けられ、電線２００ｇの他方の端部（支線１１１ｃの端部）にはコネクタ６０ｄが取り付けられている。
【００５４】
そして、第２ワイヤーハーネス１００では、例えば、電線２００ａが電源を伝達する電源電線であって、電線２００ｃが音声信号を伝達する信号電線であり、電線２００ａと電線２００ｃとが互いの距離をできるだけあけたい電線となっている。
【００５５】
第２ワイヤーハーネス１００を製造する際には、図１３に示されるように、ワイヤーハーネス１００を構成する複数の電線２００ａ〜２００ｇのうち、電線２００ａ〜２００ｃを一つの分岐部材１の複数の切り欠き部１２に通して、当該電線２００ａ〜２００ｃを仮結束し、第１仮結束ハーネス６１０を作製する。このとき、互いの距離をできるだけあけたい電線２００ａと電線２００ｃとは、分岐部材１に導入する際に通す切り欠き部１２を異ならせるとともに、分岐部材１から導出する際に通す切り欠き部１２を異ならせ、さらに分岐部材１内において両者が交差しないようにすることによって、分岐部材１内においてそれらを離すようにする。また、支線１１１ａを構成する電線２００ａをそれを通す切り欠き部１２の側壁で曲げておく。
【００５６】
第１仮結束ハーネス６１０では、電線２００ａ〜２００ｃの一方端には端子が取り付けられており、当該端子がコネクタ６０ａに挿入されることによって、電線２００ａ〜２００ｃの一方の端部にはコネクタ６０ａが取り付けられている。また、電線２００ａの他方端には端子が取り付けられており、当該端子がコネクタ６０ｂに挿入されることによって、電線２００ａの他方の端部にはコネクタ６０ｂが取り付けられている。そして、電線２００ｂ，２００ｃのそれぞれの他方端には端子５００が取り付けられている。
【００５７】
また、第２ワイヤーハーネス１００を製造する際には、図１４に示されるように、ワイヤーハーネス１００を構成する複数の電線２００ａ〜２００ｇのうち、電線２００ｄ〜２００ｇを一つの分岐部材１の複数の切り欠き部１２に通して、当該電線２００ｄ〜２００ｇを仮結束し、第２仮結束ハーネス６２０を作製する。このとき、支線１１１ａを構成する電線２００ｄを、それを通す切り欠き部１２の側壁で曲げておくとともに、支線１１１ｃを構成する電線２００ｇをそれを通す切り欠き部１２の側壁で曲げておく。
【００５８】
第２仮結束ハーネス６２０では、電線２００ｄ〜２００ｇのそれぞれの一方端に端子５００が取り付けられている。また、電線２００ｄの他方端には端子５００が取り付けられている。また、電線２００ｅ，２００ｆの他方端には端子が取り付けられており、当該端子がコネクタ６０ｃに挿入されることによって、電線２００ｅ，２００ｆの他方の端部にコネクタ６０ｃが取り付けられている。そして、電線２００ｇの他方端に端子が取り付けられており、当該端子がコネクタ６０ｄに挿入されることによって、電線２００ｇの他方の端部にコネクタ６０ｄが取り付けられている。
【００５９】
以上のようにして、第１仮結束ハーネス６１０と第２仮結束ハーネス６２０を作製すると、第１仮結束ハーネス６１０の分岐部材１の係止構造１３を、第２仮結束ハーネス６２０の分岐部材１の貫通穴１４に挿入して、当該係止構造１３を当該貫通穴１４に係止させる。その後、電線２００ｄ〜２００ｇの一方端に取り付けられた端子５００をコネクタ６０ａに挿入し、電線２００ｄの他方端に取り付けられた端子５００をコネクタ６０ｂに挿入し、電線２００ｂ，２００ｃの他方端に取り付けられた端子５００をコネクタ６０ｃに挿入する。これにより、図１２に示されるような、連結された複数の分岐部材１で分岐されたワイヤーハーネス１００が完成する。
【００６０】
なお、互いの距離をできるだけあけたい電線２００ａ，２００ｃについて、上記の特許文献４に記載されている電線保持構造をコネクタ６０ａと分岐部材１との間で使用して、当該電線２００ａ，２００ｃの間の距離を所定の大きさ以上に保持しても良い。
【００６１】
また、上記の例では、連結された２つの分岐部材１を用いてワイヤーハーネス１００を分岐していたが、連結された３つ以上の分岐部材１を用いてワイヤーハーネス１００を分岐しても良い。この場合には、連結して使用する分岐部材１の数と同数の仮結束ハーネスが作製されて、これらの仮結束ハーネスの分岐部材１が連結されることによってワイヤーハーネス１００が製造されることになる。
【００６２】
以上のように、複数の分岐部材１を用いて作製された複数の仮結線ハーネスを、それらの分岐部材１を連結させることによって組み合わせてワイヤーハーネス１００を製造することによって、ワイヤーハーネス１００を簡単に製造することができる。
【符号の説明】
【００６３】
１  ワイヤーハーネス分岐部材
１０  底部
１１  外壁部
１２  切り欠き部
１３  係止構造
１４  貫通穴
１００  ワイヤーハーネス
２００，２００ａ〜２００ｆ  電線
６１０  第１仮結束ハーネス
６２０  第２仮結束ハーネス
【図１】
2013165535.tif 000003
【図２】
2013165535.tif 000004
【図３】
2013165535.tif 000005
【図４】
2013165535.tif 000006
【図５】
2013165535.tif 000007
【図６】
2013165535.tif 000008
【図７】
2013165535.tif 000009
【図８】
2013165535.tif 000010
【図９】
2013165535.tif 000011
【図１０】
2013165535.tif 000012
【図１１】
2013165535.tif 000013
【図１２】
2013165535.tif 000014
【図１３】
2013165535.tif 000015
【図１４】
2013165535.tif 000016